【事件の表示】
　特許第２７１４５５４号「ズームカメラ」の特許に対する特許異の申立てについて、次のとおり決定する。
【結論】
　訂正を認める。
　特許第２７１４５５４号の特許を維持する。
【理由】
（１）手続の経緯
　本件特許第２７１４５５４号に係る発明についての出願は、昭和６１年９月１１日に特許出願した特願昭６１−２１２７６８号（以下、「原出願」という）の一部を平成８年７月２２日に新たな特許出願とし、平成９年１０月３１日にその発明について特許の設定登録がなされたところ、オリンパス光学工業株式会社より特許異議の申立てがなされ、平成１０年１１月６日付けで取消理由通知がなされ、その指定期間内である平成１１年１月１８日に訂正請求がなされた後、平成１１年３月１８日付けで訂正拒絶理由がなされ、その指定期間内である平成１１年６月７日付けで手続補正書が提出されたものである。
（２）訂正の適否についての判断
ア．訂正請求に対する補正の適否について
　特許権者が行った訂正請求に対する補正は、誤記の訂正及び明瞭でない記載の釈明に該当するものであり、訂正明細書の要旨を変更するものではなく、特許法第１２０条の４第３項において準用する同法第１３１条第２項の規定に適合する。
イ．訂正明細書の特許請求の範囲の発明
　訂正明細書の特許請求の範囲の発明は、その特許請求の範囲第１項に記載された次の事項により特定されるとおりのものである。
「被写体の光学像が結像された固体撮像素子からの画像情報をフレームメモリに記憶し、更にこのフレームメモリから着脱可能な記録媒体に上記画像情報を記録する電子カメラにおいて、
　システムコントローラからの指令に基づきズーム倍率を決定するズームコントローラと、このズームコントローラからのズーム倍率の指令を上記画像情報の再生時のズーム情報として上記フレームメモリに記憶するメモリトリミング回路とを備え、上記フレームメモリより読み出された画像情報を上記記録媒体に書き込むと共に、上記フレームメモリより読み出されたズーム情報が、編集機による上記再生時に変更可能であるように上記記録媒体に書き込まれることを特徴とする電子カメラ。」
ウ．訂正の目的の適否及び拡張・変更の存否
　特許権者が求めている訂正の内容は、以下のとおりである。
Ａ．（請求項１）の「上記フレームメモリより読み出された画像情報及びズーム情報を上記記録媒体に書き込む」を「上記フレームメモリより読み出された画像情報を上記記録媒体に書き込むと共に、上記フレームメモリより読み出されたズーム情報が、編集機による上記再生時に変更可能であるように上記記録媒体に書き込まれる」と訂正する。
　上記Ａの訂正事項に関連する記載として、願書に最初に添付した明細書（以下、「特許明細書」という）の段落【００１１】には、「ＲＡＭ１６に書き込まれたトリミングの情報の変更ならびにトリミング機能は編集機に持たせることができる。」ことが記載されており、上記Ａの訂正は、ズーム情報が再生時に変更可能である点を明瞭にするとともに、ズーム情報の記録媒体への書き込み状態を限定したものと認められる。
　したがって、上記Ａの訂正は、不明瞭な記載の釈明及び特許請求の範囲の減縮に該当し、願書に添付した明細書又は図面に記載された事項の範囲内のものであって、実質的に特許請求の範囲を拡張又は変更するものではない。
エ．独立特許要件の判断
（引用刊行物）
　訂正明細書の特許請求の範囲の発明（以下、「本件発明」という。）に対して、当審が平成１０年１１月６日付けの取消理由で引用した刊行物１，２、３には、それぞれ以下のとおり記載されている。
刊行物１（特開昭５４−２６７２１号公報）
「本発明は撮影時に簡単にトリミング範囲を指定することができるようにしたトリミング情報記録カメラを提供することを目的とするものである。」
（第２頁右上欄第１０行〜第１３行）
「本発明のカメラは視野の大きさを変更することができるファインダー光学系を設け、このファインダー光学系によって撮影する範囲を選択し、このときファインダー光学系に連動してトリミング情報記録装置を駆動し、前記視野の大きさに対応したトリミング情報を写真フィルムに記録するようにしたことを特徴とするものである。」（第２頁右上欄第１４行〜左下欄第１行）
刊行物２（特開昭５７−７８２８４号公報）
「第１図において、電子カメラＣは互いに分離可能な撮像部Ｃ１と記憶部Ｃ２とから構成されている。撮像部Ｃ１は、被写体に対応する画像信号を作り出す。この画像信号は、記憶部Ｃ２へ送られそこに内蔵された記憶系（後に詳述する。）に記憶される。」（第２頁右上欄第８行〜第１３行）
「従ってメモリＢに格納された１フレーム分の生画像信号すなわち撮影画像信号は、ＢＤ経路を流れると共にＢＭ経路を通って自動的にアクセスされた記憶系Ｍのメモリに書込まれる。」（第９頁左上欄第１４行〜第１８行）
刊行物３（特開昭５９−１９６６６５号公報）
「光学レンズを介して、被写体からの光を撮像素子へ入射させて得られる画像信号を直接Ａ−Ｄ変換し、変換されたディジタル情報を着脱可能に設けられた記憶手段に記憶できるようにした電子スチルカメラにおいて、前記光学レンズの歪み情報を一画面分の画像信号の記憶毎に記憶手段に記憶するようになした電子スチルカメラ。」（第１頁左欄特許請求の範囲の項）
（対比・判断）
　本件の発明と、上記刊行物１、２、３に記載された発明とを対比すると、これらの刊行物に記載の発明は、本件の発明を特定する事項である「フレームメモリより読み出された画像情報を上記記録媒体に書き込むと共に、上記フレームメモリより読み出されたズーム情報が、編集機による上記再生時に変更可能であるように上記記録媒体に書き込まれる」構成を備えておらず、また、これを示唆する記載も認められない。本件の発明は、上記構成を備えることにより、「ズームレンズを用いることなく電子カメラ本体を小型化でき、かつ電子カメラ本体と再生編集機にてズーム機能を持たせることができ、斬新で小型化が著しい電子カメラをうることができる。」という顕著な効果を奏するものであるから、本件の発明が、上記刊行物１、２、３に記載された発明でないことは明らかであり、かつこれらの刊行物記載のものから容易に発明をすることが出来たものともいえない。
　したがって、本件の発明は、特許出願の際、独立して特許を受けることができないとすることはできない。
エ．むすび
　以上のとおりであるから、上記訂正請求は、特許法第１２０条の４第２項の規定に適合し、同条第３項で準用する第１２６条第２−４項の規定に違反しないので、上記訂正請求を認める。
（３）特許異議申立てについての判断
ア．申立ての理由の概要
　申立人　オリンパス光学工業株式会社は、本件の発明は、甲第１号証（特開昭５４−２６７２１号公報）、甲第２号証（特開昭５７−７８２８４号公報）、甲第３号証（特開昭５８−１７１１７８号公報）に記載された発明に基づいて、その発明の属する技術の分野における通常の知識を有する者が容易に発明をすることが出来たものであるから、特許法第２９条第２項の規定により特許を受けることが出来ないものであり、特許法第１１３条第１項第２号の規定により特許を取り消されるべきと主張している。
イ．判断
　上記甲１、２号証（当審で引用した刊行物１、２）に記載された発明は「フレームメモリより読み出された画像情報を上記記録媒体に書き込むと共に、上記フレームメモリより読み出されたズーム情報が、編集機による上記再生時に変更可能であるように上記記録媒体に書き込まれる」構成を備えていないことは、上記（２）エで述べたとおりであって、また、上記甲第３号証に記載された発明も、上記構成を備えておらず、これを示唆する記載も認められないから、これら甲各号証に基づいて、本件の発明が当業者に容易に発明をすることが出来たものとすることはできない。
　また、他に本件の発明を取り消すべき理由を発見しない。
　よって、結論のとおり決定する。
【異議決定日】
平成１１年９月２７日（１９９９．９．２７）
【訂正の要旨】
訂正の要旨
　（請求項１）の「上記フレームメモリより読み出された画像情報及びズーム情報を上記記録媒体に書き込む」を「上記フレームメモリより読み出された画像情報
を上記記録媒体に書き込むと共に、上記フレームメモリより読み出された
が、編集機による上記再生時に変更可能であるように
まれる
（５４）【発明の名称】
ズームカメラ
（５７）【特許請求の範囲】
　　【請求項１】　被写体の光学像が結像された固体撮像素子からの画像情報をフレームメモリに記憶し、更にこのフレームメモリから着脱可能な記録媒体に上記画像情報を記録する電子カメラにおいて、
　システムコントローラからの指令に基づきズーム倍率を決定するズームコントローラと、このズームコントローラからのズーム倍率の指令を上記画像情報の再生時のズーム情報として上記フレームメモリに記憶するメモリトリミング回路とを備え、上記フレームメモリより読み出された画像情報
を上記記録媒体に書き込むと共に、上記フレームメモリより読み出されたズーム情報が、編集機による上記再生時に変更可能であるように
まれる
【発明の詳細な説明】
　　　【０００１】
　　【発明の属する技術分野】
　本発明は、ズームレンズを用いることなく単眼・単焦点レンズを用いることができて、内蔵するフレームメモリを介してズーム機能を持たせたズーム電子カメラに関する。
　　　【０００２】
　　【従来の技術】
　電子カメラには、被写体像を固体撮像素子上に結像させ、この画像情報をカメラに装着されたビデオフロッピーに記録する方式のものや、画像情報をＡ／Ｄ変換後デジタルメモリに記録するものなどがある。
　このような電子カメラにあっては、固体撮像素子以後の画像処理や記録は電気信号処理や磁気記録にて行なわれるが、被写体像を固体撮像素子に結像するまでの光学系は従来の銀塩フィルムを用いた光学式カメラと同じである。したがって、電子カメラにズーム機能を持たせる場合、光学レンズであるズームレンズを装着することによっている。
　　　【０００３】
　　【発明が解決しようとする課題】
　ところが、かかるズームレンズを使用すると、電子カメラ本体に相当大きなレンズが装着されることになるので、電子カメラ本体を小形化したとしても、光学レンズ系の嵩により、カメラ使用時には大形化してしまい小形化への努力もむくわれない。
　　　【０００４】
　本発明は、上述の問題点に鑑み、電子カメラの特性を生かしてズームレンズを用いることなく、ズーム機能を有することにより、小形化したズーム電子カメラの提供を目的とする。
　　　【０００５】
　　【課題を解決するための手段】
　電子カメラにて用いられる固体撮像素子、例えばＣＣＤとかＭＯＳ型のイメージセンサにあっては、通例撮像画面全体を例えばテレビジョン受像機の一画面に相応させ再生することが行なわれているが、ＬＳＩ技術の進歩で固体撮像素子の画素数がおおきくできるようになり、撮像画面の一部分を取り出してこれを一画面として再生してもすなわち、ズームアップやトリミングによる再生を行なっても、解像度の点で画質的に特に問題がない画面を再生することが可能である。特に、一般にはズームアップ画では解像度が少なくて済む傾向があるといえる。具体例として画素数（７８０×５００）のＣＣＤを用いて一画面を作った場合、２倍ズームアップを行ない画素数（３９０×２５０）の画素を一画面として再生しても、実用上問題がない画面が得られる。
　　　【０００６】
　上述の着眼点に基づき前記目的を達成する本発明は、次の発明特定事項を有する。
　すなわち、被写体の光学像が結像された固体撮像素子からの画像情報をフレームメモリに記憶し、更にこのフレームメモリから着脱可能な記録媒体に上記画像情報を記録する電子カメラにおいて、システムコントローラらの指令に基づきズーム倍率を決定するズームコントローラと、このズームコントローラ
か
　　　【０００７】
　フレームメモリに記憶された画像情報はそのままデジタル記憶すると共にズーム倍率の情報を当該記録媒体に同時記録しておくことで、再生編集機にて指定ズーム画面を得ることができる。
　　　【０００８】
　　【発明の実施の形態】
　ここで、図１及び図２参照して本発明の実施例を説明する。図１において、１は光学レンズである。
　更に、図１において、２はしぼり、３はシャッタであり光学レンズ１と共に光学系を形成している。
　４は光学レンズ１からの被写体画像が結像され光量を電気信号に変換して蓄積し取出すＣＣＤなどの固体撮像素子である。
　固体撮像素子４からの電気信号は、増幅器５により増幅された後、Ａ／Ｄ変換器６にて変換され、一画面分の容量を持つフレームメモリ７に記憶される。このフレームメモリ７は、高速アクセスを行なうことができるＤＲＡＭが使用されるであろう。
　　　【０００９】
　一方、カメラのファインダ８には、図２にも示すように複数個の液晶ズーム枠８ａが備えられ、その枠内のみの画面をトリミングできるようになっている。
　９はズームコントローラであり、システムコントローラ１０からの指令によりズーム倍率を決定するコントローラである。この場合、ズーム倍率の決定は例えば連続して次第にズームアップする場合、例えば全画面の１／整数の如く、段階的にズーム倍率を決定している。
　ズームコントローラ９のズーム倍率の決定によりファインだ８の液晶ズーム枠８ａが決定されると共に、メモリトリミング回路１１のトリミング情報が決定されることになる。このメモリトリミング回路１１はズームコントローラ９にて決定されたズーム倍率に関連するトリミング情報を得て、このトリミング情報がフレームメモリ７に記憶される。
　　　【００１０】
　電子カメラ本体の構造は以上であるがフレームメモリ７以後の処理は、ＲＡＭ１６を介して再生専用機（編集機）にて行なわれる。すなわち、電子カメラ本体としてはフレームメモリ７までを備え、この本体に着脱可能な如くＲＡＭ１６を装着し、このＲＡＭ１６内にフレームメモリ７内の一画面分の全画像情報を書き込み、更にメモリトリミング回路１１によるトリミング情報を書き込む。そして、再生編集機１７ではこのトリミング情報にてＲＡＭ１６内の画像情報の一部、すなわちズームアップする個所の情報のみ、を読み出して、レコーディングユニット１４を介してビデオフロッピー１５に再記録している。なお、ＲＡＭ１６には、一画面分の全画像情報が書き込まれるが、これは、後の編集時にズーム倍率の変更等に対処できるようにするためである。したがって、ＲＡＭ１６に書き込まれたトリミングの情報の変更ならびにトリミング機能は編集機に持たせることができる。またここで、ＲＡＭ１６は持ち運ばれるのでメモリ保持にための電池の消費電力が少なくかつ高速なＳＲＡＭを用いるのが良い。
　　　【００１１】
　上述の例では、第２図に示すように画面の中心を基準としてズーム倍率を決定することを述べているが、画面の中心のみならず任意の点を基準にしてズーム倍率の変更すなわちトリミング情報の変更を行なうこともできる。
　　　【００１２】
　　【発明の効果】
　以上説明したように本発明によれば、ズームレンズを用いることなく電子カメラ本体を小形化でき、かつ電子カメラ本体と再生編集機にてズーム機能を持たせることができ、斬新で小形化が著しい電子カメラを得ることができる。
【図面の簡単な説明】
　　【図１】
　発明の実施の形態の一例のブロック図。
　　【図２】
ファインだのズーム枠を示す説明図。
　【符号の説明】
４　固定撮像素子
７　フレームメモリ
１０　システムコントローラ
１１　メモリトリミング回路
１６　ＲＡＭ